(57)【要約】【課題】  テレビ電話移動機向けのコンテンツの普及を図ることが可能なテレビ電話移動機向けコンテンツ作成提供システム、及び、テレビ電話移動機向けコンテンツ作成提供方法を提供する。【解決手段】  コンテンツ蓄積サーバ２０のコンテンツ管理部２４は、テレビ電話機能を搭載したテレビ電話移動機１０から送信されてくるデータを、テレビ電話移動機１０のユーザにより提供されたコンテンツとして管理する。アクセス情報管理部２３は、コンテンツ管理部２４により管理されているコンテンツへのアクセス状況を示すアクセス情報を管理する。ポイント管理サーバ３０の報酬額演算部３３は、アクセス情報に基づいてコンテンツを提供したテレビ電話移動機１０のユーザに対する報酬額を演算する。課金管理サーバ４０の還元部４３は、演算された報酬額を、テレビ電話移動機１０のユーザに対して還元する処理を行う。【選択図】  図１
2006197106.tif 000002
【特許請求の範囲】
【請求項１】
テレビ電話機能が搭載されたテレビ電話移動機から受信したデータを、該テレビ電話移動機のユーザにより提供されたコンテンツとして管理するコンテンツ管理手段と、
前記コンテンツ管理手段により管理されているコンテンツへのアクセス状況を示すアクセス情報を管理するアクセス情報管理手段と、
前記アクセス情報管理手段により管理されているアクセス情報に基づいて、前記コンテンツを提供したテレビ電話移動機のユーザへの報酬額を演算する報酬額演算手段と、
前記報酬額演算手段により演算された報酬額を、前記テレビ電話移動機のユーザに対して還元する処理を行う還元手段と
を備えることを特徴とするテレビ電話移動機向けコンテンツ作成提供システム。
【請求項２】
前記コンテンツ管理手段により管理されているコンテンツにアクセスするためのアクセス用電話番号を割り当てるアクセス番号管理手段と、
あるテレビ電話移動機からアクセス用電話番号を含む着信信号を受信した場合に、該アクセス用電話番号が割り当てられているコンテンツを前記あるテレビ電話移動機に配信するコンテンツ配信手段と、
前記コンテンツ配信手段により配信されたコンテンツについての配信サービス料金を、前記あるテレビ電話移動機の移動通信サービス利用料金に加算する課金制御手段とをさらに備えることを特徴とする
請求項１に記載のテレビ電話移動機向けコンテンツ作成提供システム。
【請求項３】
前記還元手段は、
前記コンテンツを提供したテレビ電話移動機のユーザへの報酬額を、該テレビ電話移動機の移動通信サービス利用料金から減額する処理を行うことを特徴とする
請求項１又は２に記載のテレビ電話移動機向けコンテンツ作成提供システム。
【請求項４】
テレビ電話機能を搭載したテレビ電話移動機と、コンテンツ蓄積サーバと、ポイント管理サーバと、課金管理サーバと、を含むテレビ電話移動機向けコンテンツ作成提供システムにおいて、
前記テレビ電話移動機は、
コンテンツとして蓄積するためのデータを前記コンテンツ蓄積サーバに送信するデータ送信手段と、
前記コンテンツ蓄積サーバに蓄積されているコンテンツの中から、所望のコンテンツを受信するコンテンツ受信手段とを備え、
前記コンテンツ蓄積サーバは、
前記テレビ電話移動機から受信したデータを、該テレビ電話移動機のユーザにより提供されたコンテンツとして管理するコンテンツ管理手段と、
前記コンテンツ管理手段により管理されているコンテンツにアクセスするためのアクセス用電話番号を割り当てるアクセス番号管理手段と、
前記コンテンツ管理手段により管理されているコンテンツが、前記アクセス用電話番号を用いてアクセスされた状況を示すアクセス情報を管理するアクセス情報管理手段とを備え、
前記ポイント管理サーバは、
前記アクセス情報に基づいて前記コンテンツを提供したテレビ電話移動機のユーザへの報酬額を演算する報酬額演算手段を備え、
前記課金管理サーバは、
前記演算された報酬額を、前記テレビ電話移動機の移動通信サービス利用料金から減額する処理を行う還元手段を備えることを特徴とするテレビ電話移動機向けコンテンツ作成提供システム。
【請求項５】
テレビ電話移動機向けコンテンツ作成提供システムが行うテレビ電話移動機向けコンテンツ作成提供方法において、
テレビ電話機能が搭載されたテレビ電話移動機から受信したデータを、該テレビ電話移動機のユーザにより提供されたコンテンツとして管理するコンテンツ管理ステップと、
前記コンテンツ管理ステップにおいて管理されているコンテンツにアクセスするためのアクセス用電話番号を割り当てるアクセス番号管理ステップと、
前記コンテンツ管理ステップにおいて管理されているコンテンツが、前記アクセス用電話番号を用いてアクセスされた状況を示すアクセス情報を管理するアクセス情報管理ステップと、
前記アクセス情報管理ステップにおいて管理されているアクセス情報に基づいて、前記コンテンツを提供したテレビ電話移動機のユーザへの報酬額を演算する報酬額演算ステップと、
前記報酬額演算ステップにおいて演算された報酬額を、前記テレビ電話移動機の移動通信サービス利用料金から減額する処理を行う還元処理ステップと
を有することを特徴とするテレビ電話移動機向けコンテンツ作成提供方法。
【発明の詳細な説明】
【技術分野】
【０００１】
本発明は、テレビ電話機能を備えたテレビ電話移動機向けのコンテンツの作成及び提供を行うコンテンツ作成提供システム、及び、コンテンツ作成提供方法に関する。
【背景技術】
【０００２】
従来、インターネット等の通信ネットワークを利用したコンテンツの提供サービスが行われている（例えば、特許文献１参照）。
特に、近年においては、テレビ電話移動機向けのコンテンツ作成・提供サービスが普及しつつある。しかしながら、インターネットやパーソナルコンピュータを利用したコンテンツの作成・提供サービスの普及に比べると、テレビ電話移動機向けのコンテンツの普及はまだ少数である。テレビ電話移動機向けのコンテンツが普及しにくい理由として、テレビ電話移動機向けコンテンツを作成するためには、動画を撮影するためのカメラや、動画や音声を圧縮するためのエンコーダ装置等の機材が必要であることがあげられる。さらに、作成したコンテンツをサーバへアップロードするためには、ＶＰＮ（Virtual Private Network）や専用線等のセキュリティの高いデータ通信手段が必要であることがあげられる。このため、企業等のコンテンツ提供者は、設備コスト、運営コスト、及び、コンテンツ作成にかかる手間などを考えると、テレビ電話移動機向けのコンテンツ提供事業に容易に参入することができなかった。
【０００３】
従って、テレビ電話移動機向けのコンテンツ数が増加せず、コンテンツを閲覧（視聴）するユーザの数も限定されてしまうため、一層、コンテンツ提供者はテレビ電話移動機向けのコンテンツの提供を行う事業へ参入しづらくなるという悪循環が発生していた。
【特許文献１】特開２００２−０２４５９４号公報（段落００２１〜００２５）
【発明の開示】
【発明が解決しようとする課題】
【０００４】
特許文献１に記載の技術を用いた場合には、作成したコンテンツをコンテンツ差製作者端末からサーバにアップロードし、コンテンツを一元管理することは可能であるが、映像や音声のコンテンツを作成するためにエンコーダ等の機材が必要であるのには変わりがない。また、特許文献１では、作成したコンテンツをサーバにアップロードするために様々なツールを使用する必要があり、さらに、コンテンツ提供者は、コンテンツをサーバにアップロードする前に氏名等の各種情報の入力を行う必要がある。このため、特許文献１に開示されている技術を用いたとしても、簡易にテレビ電話移動機向けのコンテンツを作成してサーバにアップロードすることができるとはいえず、テレビ電話移動機向けのコンテンツの普及を図ることは難しい。
本発明は、上記のような課題に鑑みてなされたものであり、テレビ電話移動機向けのコンテンツの普及を図ることが可能なテレビ電話移動機向けコンテンツ作成提供システム、及び、テレビ電話移動機向けコンテンツ作成提供方法を提供することを目的とする。
【課題を解決するための手段】
【０００５】
上記課題を解決するために、請求項１に記載の発明は、テレビ電話機能が搭載されたテレビ電話移動機から受信したデータを、該テレビ電話移動機のユーザにより提供されたコンテンツとして管理するコンテンツ管理手段と、前記コンテンツ管理手段により管理されているコンテンツへのアクセス状況を示すアクセス情報を管理するアクセス情報管理手段と、前記アクセス情報管理手段により管理されているアクセス情報に基づいて、前記コンテンツを提供したテレビ電話移動機のユーザへの報酬額を演算する報酬額演算手段と、前記報酬額演算手段により演算された報酬額を、前記テレビ電話移動機のユーザに対して還元する処理を行う還元手段とを備えることを特徴とするテレビ電話移動機向けコンテンツ作成提供システムを提供する。
【０００６】
この構成によれば、テレビ電話移動機向けコンテンツ作成提供システムは、テレビ電話移動機から受信したデータを該テレビ電話移動機のユーザにより提供されたコンテンツとして管理するため、テレビ電話移動機を所持しているユーザであれば、特別な機材を用意しなくても簡単にコンテンツを作成しコンテンツ提供者となることができる。また、コンテンツへのアクセス状況に応じてコンテンツ提供者に対して報酬額を還元する処理を行うため、コンテンツ提供者の数、テレビ電話移動機向けコンテンツの数、及び、コンテンツ閲覧者の数を増加させることができる。これにより、テレビ電話移動機向けのコンテンツの普及を図ることが可能となる。
【０００７】
請求項２に記載の発明は、請求項１に記載のテレビ電話移動機向けコンテンツ作成提供システムにおいて、前記コンテンツ管理手段により管理されているコンテンツにアクセスするためのアクセス用電話番号を割り当てるアクセス番号管理手段と、あるテレビ電話移動機からアクセス用電話番号を含む着信信号を受信した場合に、該アクセス用電話番号が割り当てられているコンテンツを前記あるテレビ電話移動機に配信するコンテンツ配信手段と、前記コンテンツ配信手段により配信されたコンテンツについての配信サービス料金を、前記あるテレビ電話移動機の移動通信サービス利用料金に加算する課金制御手段とをさらに備えることを特徴とする。
【０００８】
この構成によれば、テレビ電話移動機向けコンテンツ作成提供システムは、コンテンツに対してアクセス用電話番号を割り当てるため、テレビ電話移動機からのコンテンツに対するアクセスが容易となる。また、あるテレビ電話移動機に配信されたコンテンツについての配信サービス料金を、あるテレビ電話移動機の移動通信サービス利用料金に加算するため、移動通信サービスにおける課金の仕組みを利用して、コンテンツの配信サービス料金をコンテンツ閲覧者から容易に徴収することができる。
【０００９】
請求項３に記載の発明は、請求項１又は２に記載のテレビ電話移動機向けコンテンツ作成提供システムにおいて、前記還元手段は、前記コンテンツを提供したテレビ電話移動機のユーザへの報酬額を、該テレビ電話移動機の移動通信サービス利用料金から減額する処理を行うことを特徴とする。
この構成によれば、テレビ電話移動機向けコンテンツ作成提供システムは、移動通信サービスにおける課金の仕組みを利用して、コンテンツを提供したテレビ電話移動機のユーザに容易に報酬を還元することができる。
【００１０】
請求項４に記載の発明は、テレビ電話機能を搭載したテレビ電話移動機と、コンテンツ蓄積サーバと、ポイント管理サーバと、課金管理サーバと、を含むテレビ電話移動機向けコンテンツ作成提供システムにおいて、前記テレビ電話移動機は、コンテンツとして蓄積するためのデータを前記コンテンツ蓄積サーバに送信するデータ送信手段と、前記コンテンツ蓄積サーバに蓄積されているコンテンツの中から、所望のコンテンツを受信するコンテンツ受信手段とを備え、前記コンテンツ蓄積サーバは、前記テレビ電話移動機から受信したデータを、該テレビ電話移動機のユーザにより提供されたコンテンツとして管理するコンテンツ管理手段と、前記コンテンツ管理手段により管理されているコンテンツにアクセスするためのアクセス用電話番号を割り当てるアクセス番号管理手段と、前記コンテンツ管理手段により管理されているコンテンツが、前記アクセス用電話番号を用いてアクセスされた状況を示すアクセス情報を管理するアクセス情報管理手段とを備え、前記ポイント管理サーバは、前記アクセス情報に基づいて前記コンテンツを提供したテレビ電話移動機のユーザへの報酬額を演算する報酬額演算手段を備え、前記課金管理サーバは、前記演算された報酬額を、前記テレビ電話移動機の移動通信サービス利用料金から減額する処理を行う還元手段を備えることを特徴とするテレビ電話移動機向けコンテンツ作成提供システムを提供する。
この構成によれば、テレビ電話移動機と、コンテンツ蓄積サーバと、ポイント管理サーバと、課金管理サーバとを含む簡易な装置構成により、テレビ電話移動機向けコンテンツ作成提供システムを実現することができる。
【００１１】
請求項５に記載の発明は、テレビ電話移動機向けコンテンツ作成提供システムが行うテレビ電話移動機向けコンテンツ作成提供方法において、テレビ電話機能が搭載されたテレビ電話移動機から受信したデータを、該テレビ電話移動機のユーザにより提供されたコンテンツとして管理するコンテンツ管理ステップと、前記コンテンツ管理ステップにおいて管理されているコンテンツにアクセスするためのアクセス用電話番号を割り当てるアクセス番号管理ステップと、前記コンテンツ管理ステップにおいて管理されているコンテンツが、前記アクセス用電話番号を用いてアクセスされた状況を示すアクセス情報を管理するアクセス情報管理ステップと、前記アクセス情報管理ステップにおいて管理されているアクセス情報に基づいて、前記コンテンツを提供したテレビ電話移動機のユーザへの報酬額を演算する報酬額演算ステップと、前記報酬額演算ステップにおいて演算された報酬額を、前記テレビ電話移動機の移動通信サービス利用料金から減額する処理を行う還元処理ステップとを有することを特徴とするテレビ電話移動機向けコンテンツ作成提供方法を提供する。
【００１２】
この方法によれば、テレビ電話移動機から受信したデータを該テレビ電話移動機のユーザにより提供されたコンテンツとして管理するため、テレビ電話移動機を所持しているユーザであれば、簡単にコンテンツを作成しコンテンツ提供者となることができる。また、コンテンツ提供者は、コンテンツへのアクセス状況に応じて、コンテンツ提供者が所持するテレビ電話移動機の移動通信サービス利用料金に対して報酬の還元を受けることができるため、移動通信サービスの課金の仕組みを利用して簡易にコンテンツ提供者に報酬を還元することができる。これにより、テレビ電話移動機向けのコンテンツの普及を図ることが可能となる。
【発明の効果】
【００１３】
本発明によれば、テレビ電話移動機向けコンテンツ作成提供システムは、テレビ電話移動機から受信したデータを該テレビ電話移動機のユーザにより提供されたコンテンツとして管理するため、テレビ電話移動機を所持しているユーザであれば、特別な機材を用意しなくても簡単にコンテンツを作成しコンテンツ提供者となることができる。また、コンテンツへのアクセス状況に応じてコンテンツ提供者に対して報酬額を還元する処理を行うため、コンテンツ提供者の数、テレビ電話移動機向けコンテンツの数、及び、コンテンツ閲覧者の数を増加させることができる。これにより、テレビ電話移動機向けのコンテンツの普及を図ることが可能となる。
【発明を実施するための最良の形態】
【００１４】
次に、図面を参照しながら、本発明を実施するための最良の形態について説明する。なお、以下の説明において参照する各図においては、他の図と同等部分に同一符号が付されている。
図１には、本発明の実施形態に係るテレビ電話移動機向けコンテンツ作成提供システム１の全体構成を示す。同図に示すように、テレビ電話移動機向けコンテンツ作成提供システム１は、複数のテレビ電話移動機１０、コンテンツ蓄積サーバ２０、ポイント管理サーバ３０、及び、課金管理サーバ４０を有する移動体通信網から構成されている。
【００１５】
テレビ電話移動機１０は、ＣＰＵ（Central Processing Unit）、メモリ、カメラ、無線通信インターフェース、操作キー、マイク、スピーカ、及び、ディスプレイ等のハードウェアを備えており、一般的なテレビ電話機能が搭載された移動機のハードウェア構成を有している。また、テレビ電話移動機１０のメモリには、テレビ電話移動機としての機能を実現させるためのプログラムが記憶されている。
【００１６】
コンテンツ蓄積サーバ２０、ポイント管理サーバ３０、及び、課金管理サーバ４０は、ＣＰＵ、メモリ、ハードディスク等の記憶装置、及び、通信インターフェース等のハードウェアを備えており、一般的なコンピュータのハードウェア構成を有している。また、各装置のメモリには、ＣＰＵに実行されることにより図２に示す各種機能を実現させるためのプログラムが記憶されている。
【００１７】
図２には、テレビ電話移動機向けコンテンツ作成提供システム１が備える各装置の機能構成を示す。
［テレビ電話移動機の構成］
まず、テレビ電話移動機１０の機能構成について説明ずる。テレビ電話移動機１０は、通信制御部１１、入力制御部１２、テレビ電話制御部１３、及び、画面制御部１４を備えている。
通信制御部１１は、テレビ電話移動機１０が備える無線通信インターフェース及び移動体通信網を介して、外部装置との通信を制御する。通信制御部１１は、データ送信機能１１１と、コンテンツ受信機能１１２とを備えている。
【００１８】
データ送信機能１１１は、コンテンツとして蓄積するためのデータをコンテンツ蓄積サーバ２０に送信する。ここで、コンテンツ蓄積サーバ２０に送信されるデータには、テレビ電話移動機１０に搭載されているカメラによって撮影された映像データと、テレビ電話移動機１０に搭載されているマイクに入力された音声データとの少なくとも一方が存在する。つまり、コンテンツ蓄積サーバ２０に送信されるデータの種類としては、映像データと音声データとの両方、映像データのみ、音声データのみ、の３通りが存在する。
【００１９】
コンテンツ受信機能１１２は、コンテンツ蓄積サーバ２０に蓄積されているコンテンツの中から、ユーザにより選択された所望のコンテンツを受信する。
入力制御部１２は、他の移動機もしくはサーバなどとの通信を開始するために、ユーザによって電話番号などの情報が操作キーから入力されたことを検知し、入力内容をＣＰＵに伝達する。
【００２０】
テレビ電話制御部１３は、カメラから入力された映像データ及びスピーカから入力された音声データを、テレビ電話通信で用いられている通信方式に従ったデータ形式へ変換する。また、テレビ電話制御部１３は、コンテンツ蓄積サーバ２０から受信したコンテンツを、テレビ電話用の映像データ及び音声データに復元する。
画面制御部１４は、テレビ電話制御部１３が復元した映像データをディスプレイに表示する。
【００２１】
［コンテンツ蓄積サーバの構成］
次に、コンテンツ蓄積サーバ２０の機能構成について説明する。コンテンツ蓄積サーバ２０は、通信制御部２１、サーバ間通信制御部２２、アクセス情報管理部２３、コンテンツ管理部２４、及び、アクセス番号管理部２５を含んで構成される。
コンテンツ管理部２４は、通信制御部２１を介してテレビ電話移動機１０から受信した（アップロードされた）データを、テレビ電話移動機１０のユーザにより提供されたコンテンツとして、自サーバ２０が備える記憶装置に蓄積し管理する。
アクセス番号管理部２５は、コンテンツ管理部２４で管理されているコンテンツに対して、アクセス用電話番号（以下、「アクセス番号」、「コンテンツアクセス電話番号」ともいう）を割り当て、割り当てたアクセス用電話番号を管理する。
【００２２】
通信制御部２１は、自サーバ２０が備える通信インターフェースを介して、テレビ電話移動機１０との通信を制御する。通信制御部２１は、データ受信機能２１１とコンテンツ配信機能２１２とを備えている。データ受信機能２１１は、コンテンツ蓄積サーバ２０に割り当てられている特定電話番号を含む着信信号をテレビ電話移動機１０から受信したことを契機に、テレビ電話移動機１０からアップロードされてくる映像や音声のデータを受信する。
【００２３】
コンテンツ配信機能２１２は、テレビ電話移動機１０からアクセス用電話番号を含む着信信号を受信した場合に、当該アクセス用電話番号が割り当てられているコンテンツをテレビ電話移動機１０に配信する。
アクセス情報管理部２３は、コンテンツ管理部２４により管理されているコンテンツが、テレビ電話移動機１０からアクセス用電話番号を用いてアクセスされた状況を示すアクセス情報を管理する。ここでのアクセスされた状況は、「アクセス数」を表す。ここで「アクセス数」とは、１つのコンテンツ全体がテレビ電話移動機１０に配信された回数をいう。
【００２４】
なお、本実施形態においては、アクセス情報管理部２３は、コンテンツ全体が配信された場合にのみ、アクセスが１回発生したことを表すアクセス情報を管理している。すなわち、コンテンツの配信途中でテレビ電話移動機１０とコンテンツ蓄積サーバ２０との呼が切断され、テレビ電話移動機１０にコンテンツ全体が配信されなかった場合には、アクセス情報として管理しないようにしているが、これに限定されることはない。例えば、コンテンツが途中まで配信された場合に、アクセス数を０．５回と数えてもよいし、配信されたコンテンツのデータ量の全体に対する割合をアクセス数として管理してもよい。
【００２５】
サーバ間通信制御部２２は、通信インターフェースを介してポイント管理サーバ３０との通信を制御する。サーバ間通信制御部２２は、ユーザによるコンテンツの閲覧が完了する度に（すなわち、ユーザが所持するテレビ電話移動機１０から要求されたコンテンツの配信が完了する度に）、ポイント管理サーバ３０に対して、コンテンツ情報（配信されたコンテンツの提供者情報とアクセス情報）を通知する。ここでは、コンテンツ提供者情報は、コンテンツ提供者の所有するテレビ電話移動機１０の電話番号（コンテンツ提供者電話番号）であり、アクセス情報は、コンテンツ提供者が提供したコンテンツへのアクセスが１回発生した旨を表すデータである。
【００２６】
［ポイント管理サーバの構成］
次に、ポイント管理サーバ３０の機能構成について説明する。ポイント管理サーバ３０は、通信制御部３１、コンテンツ情報管理部３２、及び、報酬額演算部３３を備えている。
通信制御部３１は、自サーバ３０が備える通信インターフェースを介して、コンテンツ蓄積サーバ２０及び課金管理サーバ４０との通信を制御する。コンテンツ情報管理部３２は、コンテンツ蓄積サーバ２０から受信したコンテンツ提供者情報とアクセス情報とを管理する。
【００２７】
報酬額演算部３３は、毎日特定の時間になると、コンテンツ情報管理部３２で管理されている情報に基づいて、各コンテンツ提供者への報酬額を演算する。報酬額の計算方法としては、例えば、アクセス情報が、コンテンツが１回閲覧されたことを表している（すなわち、コンテンツが１回アクセスされたことを表している）場合に、１ポイントとしてポイント数をカウントし、１ポイントを１００円に換算した金額を報酬額とする方法が考えられる。
ここで演算された報酬額は、コンテンツを提供したテレビ電話移動機１０の移動通信サービス利用料金に対して還元される。この還元処理のために、報酬額演算部３３は、算出した報酬額とコンテンツ提供者情報とを、通信制御部３１を介して課金管理サーバ４０に通知する。
【００２８】
図３には、コンテンツ情報管理部３２により管理されているアクセスカウント情報の一例を示す。同図に示すように、コンテンツ情報管理部３２により管理されているアクセスカウント情報は、コンテンツを識別するための番号であって、かつ、コンテンツにアクセスするためのアクセス用電話番号を示す「コンテンツアクセス電話番号」と、コンテンツ提供者が所持するテレビ電話移動機１０の電話番号を示す「コンテンツ提供者情報」と、アクセス情報としての「アクセス数」とが含まれる。
【００２９】
また、「還元料金」は、コンテンツ情報管理部３２により管理されている「アクセス数」に基づいて、報酬額演算部３３により算出された報酬額を示す。ここでは、アクセス数１回につき１０円を報酬額として演算している。なお、このような演算方法は一例であり、例えば、アクセス時刻や、配信されたコンテンツの容量等によって、報酬額に差をつけてもよい。
【００３０】
［課金管理サーバの構成］
次に、課金管理サーバ４０の機能構成について説明する。課金管理サーバ４０は、通信制御部４１、課金制御部４２、及び、還元部４３を含んで構成される。
通信制御部４１は、自サーバ４０が備える通信インターフェースを介して、ポイント管理サーバ３０との通信を制御する。
課金制御部４２は、テレビ電話移動機１０各々の移動通信サービス利用料金を管理する。ここで、移動通信サービス利用料金は、テレビ電話移動機１０の利用用途に応じた課金額及び還元額が加減算された料金である。具体的には、移動通信サービス利用料金には、テレビ電話による通話料金の他に、コンテンツの閲覧料、テレビ電話移動機向けコンテンツ作成提供システム１への入会金・会費、及び、コンテンツの先頭などに広告が挿入された場合の広告主からの広告料還元料金等が含まれる。
【００３１】
コンテンツの閲覧料をコンテンツ提供者に代わって代行徴収する方法として、例えば、あるテレビ電話移動機１０にコンテンツが配信された場合に、課金制御部４２は、配信されたコンテンツについての配信サービス料金を、あるテレビ電話移動機１０の移動通信サービス利用料金に加算する処理を行う。
還元部４３は、ポイント管理サーバ３０から受信したコンテンツ提供者情報と報酬額とを基に、テレビ電話移動機１０のユーザへの還元処理を行う。具体的には、還元部４３は、テレビ電話移動機１０のユーザに課金される月単位の移動通信サービス利用料金から報酬額を減算することにより、移動通信サービス利用料金に対する還元処理を行う。
【００３２】
（コンテンツ蓄積処理）
次に、図４を参照して、コンテンツ蓄積処理の流れについて説明する。
まず、テレビ電話移動機１０を所有するユーザは、操作キーを操作して、コンテンツ蓄積サーバ２０に割り当てられている特定電話番号を入力し発呼の指示を行う。これにより、テレビ電話移動機１０の入力制御部１２が入力内容を受け付ける。データ送信機能１１１は、入力された特定電話番号を含む発信信号を生成し、特定電話番号に発呼する（ステップＳ１）。
【００３３】
そして、テレビ電話移動機１０のデータ送信機能１１１は、テレビ電話移動機１０に搭載されているカメラに映し出されている映像データ、又は、マイクから入力される音声データを送信する（ステップＳ２）。
コンテンツ蓄積サーバ２０のデータ受信機能２１１は、テレビ電話移動機１０からの着信を受けると、テレビ電話移動機１０から逐次アップロードされてくるデータを記憶装置に蓄積する（ステップＳ３）。テレビ電話移動機１０から通信切断要求が送信されるまでの間、コンテンツ蓄積サーバ２０は、テレビ電話移動機１０からアップロードされてくるデータの蓄積を続ける。
【００３４】
テレビ電話移動機１０から呼切断要求が送信されると（ステップＳ４）、コンテンツ管理部２４は、記憶装置に蓄積したデータを、テレビ電話移動機１０のユーザにより提供されたコンテンツとして管理する。
コンテンツ蓄積サーバ２０のアクセス番号管理部２５は、コンテンツ管理部２４に蓄積されたコンテンツに対して、コンテンツアクセス電話番号を割り当てる（ステップＳ５）。
【００３５】
コンテンツ蓄積サーバ２０の通信制御部２１は、ポイント管理サーバ３０に対して、コンテンツ情報（コンテンツ提供者電話番号と、コンテンツアクセス電話番号とを示すアクセス情報）を送信する（ステップＳ６）。
ポイント管理サーバ３０のコンテンツ情報管理部３２は、コンテンツ蓄積サーバ２０から受信したコンテンツ提供者電話番号が既に管理されているか否かを確認する（ステップＳ７）。具体的には、コンテンツ情報管理部３２は、コンテンツ提供者電話番号が既にポイント管理サーバ３０が備える記憶装置に登録されているか否かを確認する。
【００３６】
電話番号が記憶装置に登録されていない場合には（ステップＳ７；無）、コンテンツ提供者電話番号の登録（ステップＳ８）、及び、コンテンツアクセス電話番号とコンテンツ提供者電話番号との対応付けを行う（ステップＳ９）。
一方、既にコンテンツ提供者電話番号が登録されている場合は（ステップＳ７；有）、コンテンツアクセス電話番号とコンテンツ提供者電話番号との対応付けを行い（ステップＳ９）、一連の処理が完了する。
【００３７】
（還元処理）
次に、図５を参照して、あるテレビ電話移動機１０を所持する閲覧ユーザがコンテンツ蓄積サーバ２０に蓄積されているコンテンツを閲覧し、当該コンテンツの提供者に対して報酬を還元する場合の処理の流れについて説明する。
あるテレビ電話移動機１０を所持する閲覧ユーザは、テレビ電話移動機１０を操作し、パケット通信などの通信手段を用いてコンテンツ蓄積サーバ２０ヘのアクセス要求を行う。これにより、テレビ電話移動機１０の入力制御部１２は入力内容を受け付け、通信制御部１１はコンテンツ蓄積サーバ２０へコンテンツ一覧を要求する（ステップＳ１１）。
コンテンツ蓄積サーバ２０の通信制御部２１は、要求されたコンテンツの一覧を表示するためのデータをテレビ電話移動機１０に送信する（ステップＳ１２）。
【００３８】
テレビ電話移動機１０の通信制御部１１がコンテンツ蓄積サーバ２０からデータを受信すると、画面制御部１４は、コンテンツ一覧画面をディスプレイに表示する。
ユーザは、テレビ電話移動機１０の操作キーを操作して、ディスプレイに表示されたコンテンツ一覧の中から興味のあるコンテンツを選択入力する。これにより、テレビ電話移動機１０の入力制御部１２は入力内容を受け付ける。通信制御部２１は、選択入力されたコンテンツに割り当てられている特定のアクセス用電話番号を含む発信信号を生成し、特定のアクセス用電話番号へ発呼を行う（ステップＳ１３）。
【００３９】
コンテンツ蓄積サーバ２０への着信とともに、コンテンツ蓄積サーバ２０のコンテンツ管理部２４は、着信信号に含まれるアクセス用電話番号を取得し、当該アクセス用電話番号が割り当てられているコンテンツを記憶装置から取得する。通信制御部２１のコンテンツ配信機能２１２は、取得したコンテンツをテレビ電話移動機１０に配信する（ステップＳ１４）。
【００４０】
テレビ電話移動機１０のコンテンツ受信機能１１２は、コンテンツ蓄積サーバ２０からコンテンツを受信する。テレビ電話制御部１３は、受信したコンテンツを復元処理し、画面制御部１４は復元処理された映像をディスプレイに表示する。また、スピーカから復元処理された音声が出力される。そして、コンテンツ蓄積サーバ２０の通信制御部２１は、ユーザからの呼切断要求を検知するまで、もしくは、コンテンツ全体の配信が完了し呼が切断されるまで、コンテンツの配信を行う。
【００４１】
コンテンツ蓄積サーバ２０とテレビ電話移動機１０との間の呼が切断した時に（ステップＳ１５）、コンテンツ蓄積サーバ２０は呼切断の原因を判断する。
コンテンツ全体の配信が完了したために呼が切断した場合は、閲覧ユーザによりコンテンツが全て閲覧された事を意味する。このため、コンテンツ蓄積サーバ２０のサーバ間通信制御部２２は、特定のコンテンツにアクセスが１回あった旨を通知するために、コンテンツアクセス電話番号を含むアクセス情報をポイント管理サーバ３０へ送信する（ステップＳ１６）。なお、テレビ電話移動機１０側からの切断を検出した場合には、コンテンツが全て視聴されていない事を意味するため、コンテンツ蓄積サーバ２０は、ポイント管理サーバ３０に対してアクセス情報を送信しない。
【００４２】
ポイント管理サーバ３０の通信制御部３１は、コンテンツ蓄積サーバ２０からアクセス情報を受信する。コンテンツ情報管理部３２は、受信したアクセス情報を基に、閲覧されたコンテンツへのアクセスカウント（アクセス数）を増加させる（ステップＳ１７）。
ポイント管理サーバ３０の報酬額演算部３３は、毎月特定の時間に、コンテンツ情報管理部３２で管理されているアクセス数に基づいて、コンテンツアクセスに対する報酬額としての還元料金の計算を、コンテンツ提供者別に行う（ステップＳ１８）。
【００４３】
通信制御部３１は、コンテンツ提供者電話番号と、計算したコンテンツ提供者に対する還元料金と、を示す情報を課金管理サーバ４０へ送信する（ステップＳ１９）。
課金管理サーバ４０の通信制御部４１は、ポイント管理サーバ３０から送信されてきた情報を受信する。還元部４３は、ポイント管理サーバ３０から受信したコンテンツ提供者電話番号と還元料金とを基に還元処理を行う（ステップＳ２０）。具体的には、還元部４３は、課金制御部４２で管理されている、コンテンツ提供者が所持するテレビ電話移動機１０の移動通信サービス利用料金から還元料金を減算する。
【００４４】
なお、還元部４３は、移動通信サービス利用料金の値が０（ゼロ）以下にならないよう制御を行うことも可能である。例えば、移動通信サービス利用料金から還元料金を減算した値が０より小さくなるときは、コンテンツ提供者は、移動通信サービス利用料金として還元しきれなかった金額（還元料金−移動通信サービス利用料金）の支払を受ける事も可能である。
【００４５】
以上説明したように、テレビ電話移動機１０は、コンテンツ蓄積サーバ２０宛てに発呼するだけで、テレビ電話移動機１０に搭載されたカメラで撮影された映像データとマイクから入力された音声データとの少なくとも一方をコンテンツとしてコンテンツ蓄積サーバ２０に蓄積し一元管理することができるため、テレビ電話移動機１０を所持しているユーザであれば、容易にテレビ電話移動機１０向けのコンテンツプロバイダとなることができ、テレビ電話移動機１０向けのコンテンツ作成に関する障壁をなくすことができる。また、コンテンツ蓄積サーバ２０がコンテンツを一元管理し、コンテンツ一覧を提供するため、他のテレビ電話移動機１０のユーザによる閲覧が容易となる。
【００４６】
また、テレビ電話移動機向けコンテンツ作成提供システム１は、コンテンツの配信を受けたテレビ電話移動機１０のユーザから、コンテンツの配信サービス料金を移動通信サービス利用料金として代行徴収し、徴収した料金の一部又は全部を、コンテンツへのアクセス数を基にコンテンツ提供者へ還元するようにした。これにより、コンテンツ提供者は容易に報酬を受けることができるため、コンテンツ提供者の数やコンテンツの数を増やすことができ、コンテンツ閲覧者の数も増加する。また、コンテンツ提供者は、アクセス数を増やしてより多くの報酬を得ようとするため、コンテンツ内容を魅力的なものにすることができ、コンテンツの質を向上させることができる。このため、テレビ電話移動機１０向けコンテンツの普及を図ることができる。
【００４７】
このように、特別な機材を用意することなく、既存の移動通信網の仕組みを用いた軽微な設備で、コンテンツの作成とコンテンツ提供者への報酬の還元とを行うことができるため、コンテンツプロバイダの幅を広げ、テレビ電話移動機１０向けのコンテンツの普及を図ることが可能となる。
【図面の簡単な説明】
【００４８】
【図１】本発明の実施の形態に係るテレビ電話移動機向けコンテンツ作成提供システムの全体構成を示すブロック図である。
【図２】同実施の形態に係るテレビ電話移動機向けコンテンツ作成提供システムを構成する各装置の機能構成を示すブロック図である。
【図３】同実施の形態に係るコンテンツ情報管理部により管理されているアクセスカウント情報の一例を示す図である。
【図４】同実施の形態に係るコンテンツ蓄積処理の流れを示すフローチャートである。
【図５】同実施の形態に係るコンテンツ提供者に対する報酬の還元処理の流れを示すフローチャートである。
【符号の説明】
【００４９】
１      コンテンツ作成提供システム
１０    テレビ電話移動機
１１    通信制御部
１１１  データ送信機能
１１２  コンテンツ受信機能
１２    入力制御部
１３    テレビ電話制御部
１４    画面制御部
２０    コンテンツ蓄積サーバ
２１    通信制御部
２１１  データ受信機能
２１２  コンテンツ配信機能
２２    サーバ間通信制御部
２３    アクセス情報管理部
２４    コンテンツ管理部
２５    アクセス番号管理部
３０    ポイント管理サーバ
３１    通信制御部
３２    コンテンツ情報管理部
３３    報酬額演算部
４０    課金管理サーバ
４１    通信制御部
４２    課金制御部
４３    還元部
【図１】
2006197106.tif 000003
【図２】
2006197106.tif 000004
【図３】
2006197106.tif 000005
【図４】
2006197106.tif 000006
【図５】
2006197106.tif 000007